(57)【要約】複数のハードコピー・メディアから得られたデジタル画像を自動的に整理するための方法、システムおよびソフトウェア・プログラム。複数のハードコピー・メディアがスキャンされ、該ハードコピー・メディアの画像側および非画像側の両方が得られる。もしあれば非画像側に存在している透かしを取り込むことも含む。非画像側の透かしは、デジタル画像を自動的に整理するために使われる。
2008538148.tif 000002
【特許請求の範囲】
【請求項１】
デジタル画像を得るようデジタルスキャンされた複数のハードコピー・メディアから得られたデジタル画像を自動的に整理する方法であって：
ａ．前記複数のハードコピー・メディアの画像側および非画像側を両方ともスキャンして、前記画像側の画像およびもしあれば前記非画像側に存在している透かしのデジタル記録を得るステップと；
ｂ．前記非画像側の前記透かしを、前記デジタル画像を自動的に整理するために使用するステップ、
とを有する方法。
【請求項２】
前記デジタル画像を整理することが、前記デジタル画像をほぼ同じ時期に撮影された画像のグループにグループ分けすることを含む、請求項１記載の方法。
【請求項３】
前記デジタル画像を整理する際の前記グループに分けにおいて、前記時期が、前記透かしの製造日によって特徴付けられるメディアの製造時期によって特徴付けられる、請求項２記載の方法。
【請求項４】
前記グループの少なくとも一つの中の前記デジタル画像がさらに、取り込まれた序列によって整理される、請求項２記載の方法。
【請求項５】
前記透かしが：
色；
パターン；
配向；
特徴的なマーキング；
スタイル；
DPE業者のマーキング、
のうちの任意のものによって区別できる、請求項１記載の方法。
【請求項６】
前記整理することがさらに、ハードコピー・メディアの他の特性を解析して前記デジタル画像を整理するために使うことのできる追加的情報を得ることを含む、請求項１記載の方法。
【請求項７】
前記他の特性が：
日付スタンプ；
時刻スタンプ；
ハードコピー・メディアの物理的な特性；
色特性（たとえばヒストグラム）；
前記ハードコピー・メディアの大きさ；
前記ハードコピー・メディアの形；
DPE業者のスタンプ；
画像のフォーマット、
のうちのいずれかを含む、請求項５記載の方法。
【請求項８】
前記追加的情報を得るために光学式文字認識ソフトウェアが使用される、請求項６記載の方法。
【請求項９】
前記ハードコピー・メディアに関係する諸アイテムから、前記デジタル画像のグループ分けおよび／またはソートのために使うことのできる追加的情報を得るステップをさらに有する、請求項１記載の方法。
【請求項１０】
前記追加的情報が：
インデックス・プリント；
DPE封筒；
写真フィルムから得られる情報、
のうちのいずれかをスキャンすることから得られる、請求項９記載の方法。
【請求項１１】
前記非画像側の前記透かしを、前記デジタル画像を整理するために使用する前記ステップが、前記スキャンによって得られた前記透かしを、さまざまな既知の透かしに関する情報を保存しているLUTと比較することを含む、請求項１記載の方法。
【請求項１２】
前記情報が、前記デジタル画像のソートおよび／またはグループ分けのために使用されることができる、請求項１１記載の方法。
【請求項１３】
前記スキャンされた透かしが前記LUTに存在していない場合、前記スキャンされた透かしを前記LUTに追加する、請求項１１記載の方法。
【請求項１４】
前記追加された透かしに関してのちの解析により追加的情報が得られ、該情報が前記追加された透かしを有するすべての前記デジタル画像に関連付けられる、請求項１３記載の方法。
【請求項１５】
前記透かしがコード付けされたマークを含んでいる、請求項１記載の方法。
【請求項１６】
前記非画像側の前記透かしを、前記デジタル画像を自動的に整理するために使用する前記ステップが、前記透かしの配向および／またはスタイルを使用することを含む、請求項１記載の方法。
【請求項１７】
複数のハードコピー・メディアから得られたデジタル画像を整理するシステムであって：
ａ．前記複数のハードコピー・メディアの画像側および非画像側を両方ともスキャンして、前記画像側の画像およびもしあれば前記非画像側に存在している透かしのデジタル記録を得るためのスキャナと；
ｂ．前記複数のハードコピー・メディアの前記非画像側の前記透かしを、前記デジタル画像を自動的に整理するために解析するのに使うためのソフトウェア・プログラムを有するコンピュータ、
とを有するシステム
【請求項１８】
前記デジタル画像を整理することが、前記デジタル画像をほぼ同じ時期に撮影された画像のグループにグループ分けすることを含む、請求項１７記載のシステム。
【請求項１９】
前記デジタル画像を整理する際の前記グループに分けにおいて、前記時期が、前記透かしの製造日によって特徴付けられるメディアの製造時期によって特徴付けられる、請求項１８記載のシステム。
【請求項２０】
前記グループの少なくとも一つの中の前記デジタル画像がさらに、取り込まれた序列によって整理される、請求項１８記載のシステム。
【請求項２１】
前記透かしが：
色；
パターン；
配向；
特徴的なマーキング；
スタイル；
DPE業者のマーキング、
のうちの任意のものによって区別できる、請求項１７記載のシステム。
【請求項２２】
前記整理することがさらに、ハードコピー・メディアの他の特性を解析して前記デジタル画像を整理するために使うことのできる追加的情報を得ることを含む、請求項１７記載のシステム。
【請求項２３】
前記他の特性が：
日付スタンプ；
時刻スタンプ；
ハードコピー・メディアの物理的な特性；
色特性（たとえばヒストグラム）；
前記ハードコピー・メディアの大きさ；
前記ハードコピー・メディアの形；
DPE業者のスタンプ；
画像のフォーマット、
のうちのいずれかを含む、請求項２２記載のシステム。
【請求項２４】
前記追加的情報を得るために光学式文字認識ソフトウェアが使用される、請求項２２記載のシステム。
【請求項２５】
前記ハードコピー・メディアに関係する諸アイテムから、前記デジタル画像のグループ分けおよび／またはソートのために使うことのできる追加的情報を得るステップをさらに有する、請求項１７記載のシステム。
【請求項２６】
前記追加的情報が：
インデックス・プリント；
DPE封筒；
写真フィルムから得られる情報、
のうちのいずれかをスキャンすることから得られる、請求項２４記載のシステム。
【請求項２７】
前記非画像側の前記透かしを、前記デジタル画像を整理するために使用する前記ステップが、前記スキャンによって得られた前記透かしを、さまざまな既知の透かしに関する情報を保存しているLUTと比較することを含む、請求項１７記載のシステム。
【請求項２８】
前記情報が、前記デジタル画像のソートおよび／またはグループ分けのために使用されることができる、請求項２７記載のシステム。
【請求項２９】
前記スキャンされた透かしが前記LUTに存在していない場合、前記スキャンされた透かしを前記LUTに追加する、請求項２７記載のシステム。
【請求項３０】
前記追加された透かしに関してのちの解析により追加的情報が得られ、該情報が前記追加された透かしを有するすべての前記デジタル画像に関連付けられる、請求項２９記載のシステム。
【請求項３１】
前記透かしがコード付けされたマークを含んでいる、請求項１７記載のシステム。
【請求項３２】
前記非画像側の前記透かしを、前記デジタル画像を自動的に整理するために使用することが、前記透かしの配向および／またはスタイルを使用することを含む、請求項１７記載のシステム。
【請求項３３】
前記整理されたデジタル画像を組み込んでいる産物を生成するための出力装置をさらに有する、請求項１７記載のシステム。
【請求項３４】
前記産物が：
デジタル記憶媒体；
写真アルバム；
インデックス・プリント；
コンピュータ・ファイル、
のうちのいずれかを含む、請求項３３記載のシステム。
【請求項３５】
前記デジタル記憶媒体が：
CD；
DVD；
フラッシュ・カード；
表示装置；
内蔵ハードドライブ；
リムーバブル・ハードドライブ、
のうちのいずれかを含む、請求項３４記載のシステム。
【請求項３６】
コンピュータ上で使うためのソフトウェア・プログラムであって、コンピュータ上にロードされたとき、該コンピュータをして：
ａ．複数のハードコピー・メディアの画像側および非画像側のデジタルスキャンされたデータを取得して、前記画像側の画像およびもしあれば前記非画像側に存在している透かしのデジタル記録を得るステップと；
ｂ．前記複数のハードコピー・メディアの前記非画像側の前記透かしを、前記デジタル画像を自動的に諸グループに整理するために解析するステップ、
とを実行させるソフトウェア・プログラム。
【請求項３７】
前記整理することが、前記デジタル画像を取り込まれた序列にするステップを含む、請求項３６記載のソフトウェア・プログラム。
【請求項３８】
前記透かしが：
色；
パターン；
配向；
特徴的なマーキング；
スタイル；
DPE業者のマーキング、
のうちの任意のものによって区別できる、請求項３６記載のソフトウェア・プログラム。
【請求項３９】
前記整理することがさらに、ハードコピー・メディアの他の特性を解析して前記デジタル画像を整理するために使うことのできる追加的情報を得ることを含む、請求項３６記載のソフトウェア・プログラム。
【請求項４０】
前記他の特性が：
日付スタンプ；
時刻スタンプ；
ハードコピー・メディアの物理的な特性；
色特性（たとえばヒストグラム）；
前記ハードコピー・メディアの大きさ；
前記ハードコピー・メディアの形；
DPE業者のスタンプ；
画像のフォーマット、
のうちのいずれかを含む、請求項３９記載のソフトウェア・プログラム。
【請求項４１】
前記追加的情報を得るために光学式文字認識ソフトウェアが使用される、請求項４０記載のソフトウェア・プログラム。
【請求項４２】
前記ハードコピー・メディアに関係する諸アイテムから、前記デジタル画像のグループ分けおよび／またはソートのために使うことのできる追加的情報を得るステップをさらに有する、請求項３６記載のソフトウェア・プログラム。
【請求項４３】
前記追加的情報が：
インデックス・プリント；
DPE封筒；
写真フィルムから得られる情報、
のうちのいずれかをスキャンすることから得られる、請求項４２記載のソフトウェア・プログラム。
【請求項４４】
前記非画像側の前記透かしを、前記デジタル画像を整理するために使用する前記ステップが、前記スキャンによって得られた前記透かしを、さまざまな既知の透かしに関する情報を保存しているLUTと比較することを含む、請求項３６記載のソフトウェア・プログラム。
【請求項４５】
前記情報が、前記デジタル画像のソートおよび／またはグループ分けのために使用されることができる、請求項４３記載のソフトウェア・プログラム。
【請求項４６】
前記スキャンされた透かしが前記LUTに存在していない場合、前記スキャンされた透かしを前記LUTに追加する、請求項４４記載のソフトウェア・プログラム。
【請求項４７】
前記追加された透かしに関してのちの解析により追加的情報が得られ、該情報が前記追加された透かしを有するすべての前記デジタル画像に関連付けられる、請求項４６記載のソフトウェア・プログラム。
【請求項４８】
前記透かしがコード付けされたマークを含んでいる、請求項３６記載のソフトウェア・プログラム。
【請求項４９】
前記非画像側の前記透かしを、前記デジタル画像を自動的に整理するために使用することが、前記透かしの配向および／またはスタイルを使用することを含む、請求項３６記載のソフトウェア・プログラム。
【発明の詳細な説明】
【技術分野】
【０００１】
本発明は、スキャンされたハードコピー・プリントから得られたデジタル画像の整理に関する。
【背景技術】
【０００２】
フィルムベースの化学的写真からデジタル写真に移行する消費者が増え続けている。画像取り込みおよび確認が瞬時にできる性質、使いやすさ、数多くの出力および共有の選択肢、マルチメディア機能およびオンラインおよびデジタル式メディア保存機能はみな、この技術的進歩の消費者受容に貢献している。ハードディスク、オンライン・アカウントまたはDVDは何千もの画像を保存でき、保存した画像はプリント、送信、別のフォーマットへの変換、別のメディアへの変換のためにすぐ利用可能であり、画像産物を生成するために使われる。デジタル写真の人気は比較的新しいので、典型的な消費者が保持している画像の大半は、通例、ハードコピー・メディアの形を取っている。これらのレガシー画像は、何十年もの年月にわたることがあり、コレクション所有者にとって個人的および感情的な多大な重要性がある。実際、こうした画像は時間とともに所有者にとっての価値が増す。このため、かつては陳列するほどいいものではないと思われた画像が今では大切にされることさえある。これらの画像を保管するのはしばしば箱、アルバム、フレームの中であり、DPE（photofinishing）から戻ってきたままの封筒ということさえある。
【０００３】
レガシー・画像の大規模なコレクションをデジタル形式にするのは、典型的な消費者にとってはしばしば途方もない作業である。ユーザーは、何百もの物理的なプリントを整理して、年代順またはイベント別など何らかの有意な順番にすることが求められる。典型的には、イベントは、同じロールのフィルムに含まれているか、あるいは同じ相対時間フレーム内に処理された数ロールのフィルムにわたって含まれている。プリントを整理したら、ユーザーは、メディアをスキャンしてデジタルバージョンの画像にすることが求められるだろう。写真プリントのようなハードコピーの画像メディアをスキャンしてデジタル記録を得ることはよく知られている。この機能を実行するためには現在多くの解決策が存在しており、小売りなら画像処理業者やデジタル・ミニラボから、および家庭なら「オールインワン」スキャナ／プリンタと一緒に、あるいはメディア・スキャナを具備したパーソナル・コンピュータと一緒に入手可能である。いくつかのメディア・スキャン装置は、メディア搬送手段を含んでいて、ハードコピー・メディアをスキャンする作業を単純化している。これらのシステムのいずれを使うにせよ、ユーザーは、画像をデジタル形式に変換するために時間または費用を使わされたあげく、生成されたデジタルファイルのコレクションに何らかの種類の組織構造を提供するという問題が残される。
【０００４】
従来技術は、スキャンされたハードコピー画像を物理的な特性によって整理することを教示する。しかしながら、このグループ分けは、画像の粗い分類および年代序列に限られ、非常に大きな画像コレクションには不十分であることがあり、より小さな分類ほど有用ではないことがある。必要なのは、大量のハードコピー・メディア画像をデジタル形式に迅速に変換し、それらを改良された年代順およびより正確なイベント分類に整理するシステムである。これは、消費者にとって、ハードコピー画像コレクションのデジタルバージョンを有意なコンテキストとともに与える高品質呈示を容易に、しかも手の出せる範囲で得る方法を提供する。
【０００５】
PRODUCT  AND  METHOD  FOR  ORGANIZING  AND  SEARCHING  DIGITAL  IMAGESとの名称の米国特許第6,745,186号は、形、大きさ、カット、テクスチャー、縁または仕上げを含む物理的特性によってスキャンされたハードコピー画像をソートまたは整理することによってデジタル画像を整理する諸方法を記載している。
【０００６】
METHOD  FOR  AUTOMATICALLY  CLASSIFYING  IMAGES  INTO  EVENTSとの名称の米国特許第6,606,411号は、時間または日付に基づいて一群の画像をイベントごとに分離する方法を記載している。長い時間の経過がイベントの境界として使用される。よって、アルバムのようなアウトプット産物のために画像をグループ分けするとき、あるいは画像のデータベースを整理するため、画像は似たようなタイムスタンプによってグループ分けされる。
【０００７】
ALBUMING  METHOD  WITH  AUTOMATIC  PAGE  LAYOUTとの名称の米国特許第6,636,648号は、時間または日付および内容に基づいてアルバム・ページをレイアウトする方法を記載している。この特許における内容とは、ヒストグラムのような、似たような配色を識別する基本的な画像解析が意図されている。
【０００８】
DATA  SCANNING  AND  CONVERSION  SYSTEM  FOR  PHOTOGRAPHIC  IMAGE  REPRODUCTIONとの名称の米国特許第6,351,321B1号は、デジタイズされたプリント画像で日付／時間／露出条件といったカメラ露光情報を識別し、諸技術を用いて該カメラ露光情報を編集して削除、トリミング、強調および置換する方法を記載している。
【発明の開示】
【発明が解決しようとする課題】
【０００９】
上記の特許のいくつかは画像を整理する際にいくらかの助けを与えるものの、画像をさらに定義されたグループ分けに自動的に整理するためのさらに効率的な技術を提供する必要はまだある。
【課題を解決するための手段】
【００１０】
本発明のある側面によれば、デジタル画像を得るようデジタルスキャンされた複数のハードコピー・メディアから得られたデジタル画像を自動的に整理する方法であって：
ａ．前記複数のハードコピー・メディアの画像側および非画像側を両方ともスキャンして、画像側の画像およびもしあれば非画像側に存在している透かし（watermark）のデジタル記録を得るステップと；
ｂ．非画像側の透かしを、デジタル画像を自動的に整理するために使用するステップ、
とを有する方法が提供される。
【００１１】
本発明の別の側面によれば、複数のハードコピー・メディアから得られたデジタル画像を整理するシステムであって：
ａ．前記複数のハードコピー・メディアの画像側および非画像側を両方ともスキャンして、画像側の画像およびもしあれば非画像側に存在している透かし（watermark）のデジタル記録を得るためのスキャナと；
ｂ．前記複数のハードコピー・メディアの非画像側の透かしを、デジタル画像を自動的に整理するために解析するのに使うためのソフトウェア・プログラムを有するコンピュータ、
とを有するシステムが提供される。
【００１２】
本発明のさらに別の側面によれば、コンピュータ上で使うためのソフトウェア・プログラムであって、コンピュータ上にロードされたとき、該コンピュータをして：
ａ．複数のハードコピー・メディアの画像側および非画像側のデジタルスキャンされたデータを取得して、画像側の画像およびもしあれば非画像側に存在している透かし（watermark）のデジタル記録を得るステップと；
ｂ．前記複数のハードコピー・メディアの非画像側の透かしを、デジタル画像を自動的に諸グループに整理するために解析するステップ、
とを実行させるソフトウェア・プログラムが提供される。
【００１３】
これらのことを含む本発明のさまざまな側面、目的、特徴および利点は、好ましい実施形態の以下の詳細な記述および付属の請求項から、そして付属の図面を参照することによって、より明瞭に理解され、認識されるであろう。
【００１４】
以下に呈される本発明の好ましい実施形態の詳細な説明では、付属の図面が参照される。
【発明を実施するための最良の形態】
【００１５】
ハードコピー・メディア・コレクションとは、光学的およびデジタル的に露光された写真プリント、感熱プリント、電子写真プリント、インクジェット・プリント、スライドおよびネガを含む。これらのハードコピー・メディア種別のすべては、人間の目によって閲覧できるが、ネガは、通例カラーフィルターマスクを有していて反転像になっているので見るのがより難しい。時間とともに、ハードコピー・メディア・コレクションは増大し、さまざまな形およびフォーマットのメディアが、箱、アルバム、ファイルキャビネットなどといったさまざまな消費者選択された保存技術に追加される。一部のユーザーは、個々のフィルム・ロールからの写真プリント、インデックス・プリントおよびフィルム・ネガを、元のDPEプリント戻し封筒に入れて保管する。他のユーザーはプリントを取り出し、プリントはインデックス・プリントおよびフィルム・ネガと分離され、他のロールからのプリントと組み合わされる。ユーザーは典型的には、誕生祝い、家族の再会、休日またはスポーツ・イベントといった一つまたは複数のイベントをフィルム・ロールに記録する。イベントの画像がばらばらになり、他のイベントからのハードコピー画像と混ざると、ユーザーにとって、元の画像イベント・グループ分けおよび年代序列を再確立することは途方もない作業となる。ユーザーが、特定の時間フレームまたはイベントからの個別の画像または画像グループを、該イベントを追想または記念祝賀するために、あるいは所望の画像を画像産物を作成するのに使うために、みつけたければ、ユーザーの時間および労力の著しい投資が必要になる。ユーザーはまた、未整理の家族の写真コレクションを相続して、画像にコンテキストおよび意味を与えるはずのイベントおよび年代についてなじみがないこともありうる。この組織構造は、画像コレクションが大きさおよび時間フレームにおいて増大するにつれますます重要になる。ハードコピー画像コレクションが何千もの画像を含むほど大きく、デジタル形式に変換される場合、有用性を確立するためには、ファイル構造、検索可能データベースまたはナビゲーション・インターフェースといった組織構造が必要とされる。
【００１６】
写真プリント・メディアなどは、画像面および非画像面をもち、メディアの非画像面にはしばしばメーカー透かしを含んでいる。メディア・メーカーは、メディアの「マスター・ロール」上に透かしをプリントする。マスター・ロールは、キオスク、ミニラボおよびデジタル・プリンタのような写真処理設備で使うのに好適なより小さなロールに切断される。メーカーは時折、新しい特性、特徴およびブランド表示をもつ新しいメディア種別が市場に導入される際に透かしを変更する。透かしは、メーカーの後援を宣伝するなどプロモーション活動のために、特別なDPE処理およびサービスを表示するために、および外国市場での販売のための外国語翻訳といった市場固有の特性を組み込むために使われる。透かしは典型的には、抑えた濃さでメディアの非画像面上に非写真的にプリントされ、さまざまなフォント、グラフィック、ロゴ、色変化、多色を含むことができ、典型的にはメディア・ロールおよびカットされたプリントの形に対して斜めに走る。
【００１７】
メーカーは、マスター・ロールの透かしに微妙な変化も含める。英数字の透かしの場合なら指定された文字の上または下に線を付けるなどである。このコード付け技術はユーザーには明らかでないし、見えさえしないかもしれないが、メーカーは、製造プロセス制御をモニタリングするために、あるいは欠陥が検出された場合に製造プロセス問題の位置を特定するために使う。種々の変形が、マスター・メディア・ロールにわたる決まった位置にプリントされる。マスター・ロールから切り出された完成したロールは、マスター・ロールに沿ったその相対位置に加えられた特定のコード付けされた透かしの変形を保持する。さらに、メーカーはさまざまな透かしスタイル、コード付け方法および特定の透かしスタイルが市場に導入されたのがいつかの記録を維持する。実際の消費者ハードコピー・メディアでテストして、特別なプロセス制御コード付けをもつメーカー透かしを含む透かしの変形が、元のフィルム・ロールのプリントのグループ分けを決定する非常に有効な手段を提供することが判別された。ひとたびハードコピー・メディア画像が元のロールのプリント・グループに分離されれば、画像解析技術を使って、ロールごとのグループ分けをさらに個々のイベントに分離できる。透かし解析は、プリントの序列、プリント画像の向きおよびプリントが生成された時間フレームを決定するためにも使われることができる。
【００１８】
同じ完成したメディア・ロールからのメディアには、フィルムのロールを処理およびプリントするなどの典型的なDPE注文が、たいていの状況下ではプリントされることになる。メディア・ロールがメーカーの変形コードをもつ透かしを含み、フィルム・ネガのロールをプリントするのに使われる場合、結果として得られるプリントは、ユーザーのハードコピー・メディア・コレクションの中でまずは一意的であろう透かしを有することになる。これに対する例外としては、ユーザーが同じDPE業者によって同時にプリントされたフィルム・ロールをいくつか持っていた場合がありうる。長期休暇や顕著なイベントの終わりに処理されたフィルムのような場合である。しかしながら、DPE業者が特定の顧客の注文をプリントする途中で新しい印画紙のロールを始めなければならなかった場合でも、新しいロールが最初のロールと同じバッチからのものである可能性は高い。もしそうでないとしても、休暇などのイベントが、裏印刷の違いのため二つのグループにグループ分けされてしまうことは破滅的ではない。
【００１９】
メディア・メーカーは、一意的な透かしを持った新しいメディア種別を、継続的に市場に放出する。デジタル画像スキャン・システムはこれらの透かしをデジタル記録に変換できる。変換されたデジタル記録は光学式文字認識すなわちOCRおよび／またはデジタル・パターン・マッチ技術を使って解析できる。この解析は、前記デジタル記録がメディア・メーカーによって提供される探索表（LUT:  Look  Up  Table）の内容と比較できるよう、透かしを識別することに向けられる。ひとたび識別されれば、スキャンされた透かしは、プリント・メディアの製造または販売の日付を与えるために使うことができる。ハードコピー・メディアの画像側から得られる画像は、時としてカメラの日付挿入機構からのマーキングのような日付表示が与えられており、これは、ユーザーからの介入なしに、スキャンされたハードコピー・メディア画像のための時間フレームを確立するために使うことができる。
【００２０】
ハードコピー・メディア／プリントが認識されない透かしスタイルを有する場合は、透かしパターンが記録され、整理のために使用される。DPE業者またはユーザーが加えた日付またはイベント、時間フレーム、位置、被写体識別などのその他の情報が検出される場合、その情報は前記のLUTに組み込まれて、それまで未識別だった透かしを含むその後の画像についての年代またはその他の組織構造を確立するために使われることになる。ユーザーまたはDPE業者が加えた日付がそのハードコピー・メディア・プリント上に観察される場合、その日付がLUTに追加されることができる。自動的に更新されたLUTは今ではこの新しい関連付けられた日付を、この未知の透かしスタイルに遭遇したときにはいつでも使うことができる。この技術は、通例、数十年にもわたるハードコピー画像コレクションのための相対年代を確立するために展開できる。
【００２１】
もう一つの技術は、ハードコピー・メディアを作成するために使われたフィルム・システムおよびそれらのフィルム・システムが一般に使われていた時間フレームに相関させることのできる、ハードコピー・メディアの物理的なフォーマット特徴を使う。これらのフォーマットおよび関係する特徴の例は次のようなものがある。1963年に導入されたInstamatic（イーストマン・コダック・カンパニーの商標）カメラおよび126フィルム・カートリッジは3.5インチ×3.5インチ（8.89cm×8.89cm）のプリントを生成し、12枚撮り、20枚撮り、24枚撮りがあった。1972年に導入されたコダックInstamaticカメラの110フィルム・カートリッジは3.5インチ×5インチ（8.89cm×12.7cm）のプリントを生成し、12枚撮り、20枚撮り、24枚撮りがあった。コダック・ディスク・カメラおよびコダック・ディスク・フィルム・カートリッジは1982年に導入され、3.5インチ×4.5インチ（8.89cm×11.43cm）のプリントを生成し、ディスク当たり15画像撮れた。コダック、富士、キヤノン、ミノルタおよびニコンは先進写真システム（Advanced  Photo  System）すなわちAPSを1996年に導入した。このカメラおよびフィルム・システムは、ユーザー選択可能な複数フォーマットの機能があり、それにはクラシック、ハイビジョンおよびパノラマがあって、プリント・サイズは4インチ×6インチ、4インチ×7インチおよび4インチ×11インチ（10.16cm×15.24cm、10.16×17.78cm、10.16cm×27.94cm）だった。フィルム・ロールの撮影枚数は15、25、40フレームがあり、フィルムに記録された全画像の縮小版を含むインデックス・プリントがシステムの標準機能だった。APSシステムは、フィルム上にコーティングされた透明な磁気層にメーカー、カメラおよびDPEシステムが情報を記録できるようにするデート交換システムを有していた。このデータ交換の一例は、カメラが、露光の時刻およびユーザー選択されたフォーマットをフィルムの磁気層に記録することができ、DPEシステムがそれを読んで、所望のフォーマットでプリントを生成し、露光時刻、フレーム番号およびフィルム・ロールID番号をプリントの背面およびデジタル式にプリントされるインデックス・プリントの表面に記録するために使うというものである。35mm写真については、1920年代から今日までさまざまな形が利用されてきて、「使い切りカメラ」の形の今日に至るまで人気を維持してきている。35mmシステムは典型的には3.5インチ（8.89cm）×5インチ（12.7cm）または4インチ（10.16cm）×6インチ（15.24cm）を生じる。プリントおよびロール・サイズは12枚撮り、24枚撮り、36枚撮りがある。「使い切りカメラ」は、フィルムが「逆巻きされる」という独特な特徴がある。これは、写真を撮るにつれフィルムがフィルム・カセットに巻き戻されていき、それにより、普通のシーケンスとは逆のプリント・シーケンスが生じるという意味である。物理的フォーマット、期待されるフレーム数および撮像システム時間フレームといった特性はみな、ハードコピー・メディアを意味のあるイベント、時間フレームおよびシーケンスにスキャンして整理するために使用できる。
【００２２】
伝統的な写真と同様、インスタント写真システムも時間とともに変わった。たとえば、インスタント・フィルムSX-70フォーマットは1970年代に導入され、Spectraシステム、Captiva、I-Zoneシステムは1990年代に導入され、いずれも独特なプリント・サイズ、形状および縁の構成を有していた。
【００２３】
ここで図１を参照すると、画像を帯びているハードコピー・メディアから得られた物理的特性を使ってハードコピー・メディア画像を仕分けする従来技術の技法の図解である。未整理のコレクションのハードコピー・メディア１０は、さまざまなサイズおよびフォーマットのプリント・メディアからなる。このコレクションは、両面スキャンのできるメディア・スキャナ（図示せず）により、デジタル形式に変換される。プリントが、靴箱に入れたプリントの場合のように、「ばらばらな形」で与えられる場合、自動プリント給送および駆動システムのあるスキャナを使うことが好ましい。ハードコピー・メディアがアルバムまたはフレームに入れて与えられる場合には、ハードコピー・メディアを乱したり、可能性としては傷つけたりすることのないよう、ページ・スキャナまたはデジタル・コピー・スタンドを使うべきである。
【００２４】
ひとたびデジタイズされると、画像は、スキャナによって記録された画像データから決定される物理的なサイズおよびフォーマットに基づいて指定された下位グループに分けられる。KODAK  i600シリーズ文書スキャナのような既存のメディア・スキャナは自動的にハードコピー・メディアを搬送し、両面スキャンする上、画像処理ソフトウェアを含んでおり、自動傾き補正、トリミング、修正（correction）、テキスト検出および光学式文字認識を提供する。第一の下位グループ２０は縁ありの3.5″×3.5″（8.89cm×8.89cm）プリントの画像を表し、第二の下位グループ３０は縁なし・丸角の3.5″×5″（8.89cm×12.7cm）プリントの画像を表し、第三の下位グループ４０は縁あり3.5″×5″（8.89cm×12.7cm）プリントの画像を表し、第四の下位グループ５０は縁なし4″×6″（10.16cm×15.24cm）プリントの画像を表す。この新しい組織構造があっても、顧客が与えた画像のグループ分けまたは序列があればそれは仕分け基準として維持される。封筒、束または箱のいずれであれ、各グループは、「受領時」グループの一員としてスキャンされ、タグ付けされるべきであり、該グループ内の序列が記録されるべきである。
【００２５】
図２は、表側（図示せず）に画像を有するハードコピー・メディア６０の裏側である非画像面７０の図である。図示した実施例では、非画像面７０はメーカーのメディア透かし８０、８５、９０を有する。これらの透かしは、「透かしLUT」との比較によってシステムが認識する透かしスタイルを表している。この透かしとともに画像についての日付またはその他の情報が利用可能だったら、画像タグおよび仕分け基準として適用されることができる。図２は、透かし呈示の一般的な構成の例を示しており、図示した実施例では、ハードコピー画像メディアの裏面を斜めに横切る数行の等間隔のテキストおよび／またはグラフィックを含んでいる。図示した実施例では、透かし８０、８５、９０のそれぞれは「Kodak  Paper」という反復テキストを含んでいる。透かし９０は透かしエンコード・マーク１００を含んでいるが、これは図示した実施例では、「PAPER」というテキストの「E」の上の短い線として見える。このエンコード・マーク１００は典型的には、しばしば製造日またはそのプリント紙が得られたマスター・ロール上の特定の位置に関連付けられる特定の種類のメディアを表している。
【００２６】
図３ａ、３ｂ、３ｃは、ハードコピー・メディア／プリント６０に追加的な情報を与えるためにDPE業者が使う、DPE業者が加えるさまざまなマーキングを示している。図３ａは、インクで印された、DPEプロセスで加えられたスタンプ１１０を含むハードコピー・メディア６０の非画像面７０の図である。図示した実施例では、スタンプ１１０は元の「処理日」指標１２０およびロゴ、グラフィック、コード番号などといった追加的情報１３０を、肉眼および機械のいずれかまたは両方によって可読な形で含む。非画像面７０にはまた、メーカー透かし９０が記録されている。透かし８０のスキャンの間に透かし９０がLUTライブラリに載っていないと判別される場合、新たに展開された透かし９０が新たな透かしスタイルとしてLUTに追加される。透かし９０が認識され、ある既知の透かしスタイルに一致したがLUTに透かし日付基準がなかった場合は、「処理日」指標１２０が認識され、OCRソフトウェアによって翻訳され、新たな日付基準として関連する透かしスタイルに割り当てられる。
【００２７】
図３ｂは、ハードコピー・メディア６０の画像面／画像側１６０の図である。画像側１６０は、画像１６２に加えて、写真的に露光されたDPEプロセスで加えられたグラフィック１５０を含んでいる。図示した実施例では、グラフィック１５０は「処理日」および縁１４０を含んでいる。画像処理ソフトウェアを使ってスキャンされたメディアが解析され、フォーマットおよび縁の有無が認識および記録され、グループ仕分け基準を決めるために類似の縁一致があるかどうかLUTを調べる。
【００２８】
図３ｃは、（必ずしもデジタルでなく）プリントされたDPEプロセスで加えられた印（indicia）１７０を含むハードコピー・メディア６０の非画像面７０の図である。図示した実施例では、印１７０は、カメラが記録した画像取り込みの日付１９０および時刻１７０、フィルム・ロールID番号２００およびフィルム・ロール・フレーム番号２１０を含む。印１７０によって記録される情報は、APSを示しており、このことは追加的な基準として記録される。呈示された型のすべての関連情報は、対応する画像面の記録をマッチング、グループ分け、仕分けおよび順序付けするために取り込まれ、翻訳される。
【００２９】
図４ａ、４ｂ、４ｃは、ハードコピー画像に追加的情報を提供するためにDPE業者および写真家が使う追加的な諸方法を示している。図４ａは、認識されるハードコピー・メディア６０の画像面１６０の図であり、画像取り込みの時刻２２０および日付２３０を描く、フィルム媒体に記録されたカメラ露光された印（indicia）２１５を含む。
【００３０】
図４ｂは、写真「グリーティングカード」という認識されるフォーマットをもつ画像面１６０の図であり、DPE業者が加えた装飾的グラフィック、ユーザー選択されたイベント表示２５０、個人的メッセージ２６０および日付を含む。「グリーティングカード」として認識されることは、翻訳され、記録され、基準タグまたは指標またはファイル名として使用される「Holiday」〔休日〕のイベント表示２５０と同様、イベント区分のための追加的な機会を提供する。
【００３１】
図４ｃは、メーカー透かし８０とユーザーが加えた日付を含む手書きの印（indicia）２８０とを有するハードコピー・メディア６０の非画像面７０の図である。メディア上に記録された画像に関するイベント、日付、人物、位置に関する重要な情報を記録するために、ユーザーが写真の面にペン、マーカー、鉛筆などを用いて注釈付けすることは一般的な慣行である。そのテキストを利用可能なデータ・フォーマットに翻訳するために、手書き文字解析およびOCRソフトウェアが使用されるであろう。図４ｃの場合、記録された日付は、一致する透かしパターン８０をもつ画像についての日付表示を確認または更新するために使用されることになる。これまでのサンプルおよび条件と同様、呈示されている型の情報は、対応する画像面の記録をマッチング、グループ分け、仕分けおよび順序付けするために取り込まれ、翻訳される。さらに、手書きテキストのイメージおよび／またはその解析された等価物は、当該画像に対応して保存される。さらに、解析されたテキストは、そのテキストが検出されたグループ分けに対応する諸画像のファイル名を作成するために使ってもよい。
【００３２】
図５ａ、５ｂ、５ｃは、ハードコピー・メディア上に対応する画像についての追加的な情報を提供するために使うことのできる、メディア６０の追加的特性を示している。図５ａは、３つの異なるハードコピー・メディア／プリントの画像面１６０および非画像面７０の図であり、画像処理の日付を画像の縁１４０に含む、写真露光されたDPEプロセスで加えられたグラフィック１５０を含む。非画像面７０には未識別のメーカー透かし２９０が記録されており、DPE業者が加えたグラフィック１５０から得られたデータに相関される。縁１４０の存在およびフォーマットも記録される。これは今度は、同じ透かし２９０をもつがメディア６０上に日付がプリントされていない他のメディアの潜在的な日付決定を許容する。
【００３３】
図５ｂは、独特なメディア形状特性をもつハードコピー・メディア３００の図である。画像面１６０は、図５ａに描かれた縁領域によって定義された画像領域３０２と同一の画像領域３０２を定義する縁領域１４０を含んでいる。非画像面７０は、図５ａに描かれた透かしと一致する未識別の透かし２９０を含む。ユーザーが加えた手書きの日付印（indicia）２８０は、物理的特性および透かしが一致する場合、図５ａに描かれたサンプルで与えられている日付印を検証するために使われる（図示せず）。これは、システムが透かし２９０を使って同じ透かし２９０をもつ追加的なメディアの日付を決定する可能性を高める。というのも、二つのサンプルを共通の未識別の透かしパターン２９０に相関させるために二つの独立の日付のソースが使用されたからである。
【００３４】
図５ｃは、識別されているメディア形状特徴３０５、この場合では半径1/2″（1.27cm）の丸い角と、認識されるメーカー透かし８０とをもつ、ハードコピー・メディア６０の画像面１６０および非画像面１７０の図である。形状特徴３０５も、対応する画像面の記録をマッチング、グループ分け、仕分けおよび順序付けするために取り込まれ、翻訳される。
【００３５】
図６ａ、６ｂ、６ｃは、年月を通じて市場で入手可能にされた、メーカーによって使用された透かしスタイルのさまざまな異なる型を示している。図６ａは、既知の関連付けられた製造時期「Ａ」をもつ識別されたメーカー透かし８０を含む、ハードコピー・メディア６０の非画像面７０の図である。図６ｂは、製造時期「Ｂ」、この場合ではオリンピックのような特定のイベントに近い時期に対応する日付と関連付けられていることが既知である、識別されるメーカー透かし３１０をもつ、ハードコピー・メディア６０の非画像面７０の図である。透かし３１０は、メーカーがスポーツのスポンサーであることを記念するためにデザインされたもので、テキストおよびグラフィックを含んでいる。この透かしを帯びている画像メディアの製造日および期間、入手可能量はメーカーには既知であり、この情報はLUTの形で提供される。図６ｃは、既知の製造時期「Ｃ」をもつ識別されるメーカー透かし３２０をもつ、ハードコピー・メディア６０の非画像面７０の図である。透かし３２０は、この透かしを帯びているメディアの高品質、秀れた光沢およびより重い紙質を示すためにメーカーによってデザインされたものである。これらの因子ならびに製造および販売履歴もLUTとして利用可能にされる。非画像面７０およびハードコピー・メディアのフォーマット６０は図６ａ、６ｂ、６ｃに描かれたサンプルについて同一であるが、各サンプルは、認識され、LUT内で利用可能なパターンに同定される異なる透かしスタイルを有している。
【００３６】
さまざまな透かしスタイルの製造日の履歴はメーカーに知られているので、これらのグループの画像について他の日付情報が全く利用可能でなくても、これらの透かしに対応する画像はこれらの日付と同定できる。また、メーカーにとって既知であり、既知の透かしスタイルと関連付けられている表面処理、色範囲性能、メディア紙の厚さといった任意の追加的なメディア特徴もLUTとして利用可能にされることができる。既知の製造日をもつさまざまな認識された透かしスタイルは、他の日付情報が利用可能でないときに画像生成の日付を与えるこれまで利用されていなかった方法を提供し、対応する画像面の記録をマッチング、グループ分け、仕分けおよび順序付けするためのもう一つの基準を提供する。
【００３７】
グループ分けおよび／または日付を決定するために用いることのできる画像解析の諸技法がある。これらは、物理的な特徴および透かしならびにその他のこれまでに述べた諸方法によって提供されるグループ分けを強化するために利用できる。これらの画像解析の技法には以下のようなものが含まれる。
【００３８】
〈画像イベント集群化（clustering）〉
イベントおよびサブイベントは、取り込み日時および画像の色ヒストグラムを解析するアルゴリズムを使って自動的に判別できる。イベント境界は、入力画像に関連付けられた時間差ヒストグラムに２平均集群化アルゴリズムを適用することによって判別できる。検出された各イベントについて、サブイベント境界は、ブロック・ヒストグラム相関法を使って判別できる。これらの諸方法は、従来技術の米国特許US6,351,556およびUS6,606,411において開示されている。上記の技法の代わりに、イベントおよびサブイベントの集群を検出する他の諸方法を使うこともできる。
【００３９】
〈顔検出および集群化〉
（正面の）顔検出アルゴリズムを年齢／性別分類技法と組み合わせて利用することによって、似た顔が集群化およびグループ分けでき、それにユーザーがラベル付けできる。
【００４０】
人によって画像をグループ分けすることは、いくつかの中間ステップを含んでいる。まず、入力画像において顔が検出される。次いで、顔検出ステップからの近似的な目の位置を使って年齢および性別分類が実行される。検出された顔をトリミングしたものに基づいて、顔の類似性計算が実行され、類似性スコアおよび年齢／性別ラベルが集群化モジュールに与えられる。高い類似性スコアおよび一致するラベルをもつ顔の集群が生成される。
【００４１】
〈内容ベースの画像類似性〉
内容ベースの画像類似性は、基準画像と類似した内容をもつ画像の検索および取得を許容する技法である。我々の技術は、コヒーレント色、色構成（color  composition）およびテクスチャーを含む特徴の組み合わせを利用する。
【００４２】
コヒーレント色は、画像中で知覚的に顕著な色を識別し、コヒーレント色ヒストグラムの形で記録する。色構成は、いくつかの優勢なコヒーレント色の知覚的に顕著な空間的関係を識別する。
【００４３】
〈屋内／屋外検出〉
ある写真の場面が屋外場面である家屋内場面であるかを検出する画像解析アルゴリズムが開発されている。これは、画像の確率論的領域マップ（probabilistic  region  map）、次いで統計的分類子（statistical  classifier）を計算することによって達成される。空およびガラスの存在のある場面は屋外場面の強い指標である。よって、空／ガラスを検出できるアルゴリズムをここで使うこともできる。さらに、取り込みからの画像メタデータ、たとえばフラッシュのオン／オフの使用は、アルゴリズムの正確さを増すであろう。そのような屋内／屋外の情報も、位置に従って画像を整理するために使用できる。
【００４４】
図７ａ、７ｂ、７ｃは、年月を通じて市場で入手可能にされた、メーカーによって使用された認識されないおよび認識される透かしスタイルのさまざまな異なる型を示している。図７ａは、未知の製造および入手可能時期をもつ未識別の英数字のメーカー透かし２９０を含む、ハードコピー・メディア６０の非画像面７０の図である。図７ｂは、既知の製造時期をもつ識別される英数字およびグラフィックのメーカー透かし３１０を含む、ハードコピー・メディア６０の非画像面７０の図である。図７ｃは、既知の製造および入手可能時期をもつ識別されるグラフィックのメーカー透かし３３０を含む、ハードコピー・メディア画像の非画像面７０の図である。図７ａ、７ｂ、７ｃに描かれている実施例は、認識されない透かし２９０が記録されれば、メディアの他の物理的特徴が同じであっても、この透かしスタイルに対応する画像は他の透かしとは異なるものとして識別されるであろうことを示している。透かし３１０および３３０の時間フレームは既知であり、すべてのサンプルの物理的特徴は一致しているので、図７ａに描かれたサンプルは、認識されない透かしによって確立された独立したグループ識別は維持しつつ、一致する物理的特徴を持つ諸画像の時間フレーム内にはいると想定できる。これは、未知の透かしに対応する画像にグループ・コンテキストおよび年代基準を提供できることを示している。
【００４５】
図８ａ、８ｂ、８ｃは、在庫管理およびプロセス制御のためにメーカーが使用する製造コードの変形を含む認識された透かしスタイルのさまざまな型を示している。図８ａは、既知の製造時期をもつ、識別されるグラフィックのメーカー透かし８０、８５、９０を含むハードコピー・メディア６０の非画像面７０の図であり、型「Ａ」と示されるコード付けされたマーク１００をもつ「Kodak  Paper」の透かし変形９０を含む。この実施例のマーク１００は「上バー付きのE」を含んでいる。図８ｂは、既知の製造時期をもつ、識別されるグラフィックのメーカー透かしを含むハードコピー・メディア画像６０の非画像面７０の図であり、型「Ｂ」と示されるコード付けされたマーク１０２をもつ透かし９０を含む。この実施例のマーク１０２は「下バー付きのA」を含んでいる。図８ｃは、既知の製造時期をもつ、識別されるグラフィックのメーカー透かし８０、８５、９０を含むハードコピー・メディア画像６０の非画像面７０の図であり、型「Ｃ」と示されるコード付けされたマーク１０５をもつ透かし９０を含む。この実施例のマーク１０５は「上バー付きのA」を含んでいる。多くのイベントおよびフィルム・ロールにわたる多数のハードコピー画像がみな、透かし８０、８５、９０によって示されるのと同じ概括的な全体的な透かしスタイルを有しているかもしれないが、コード付けされたマーク１００、１０２、１０５によって示されるような識別される透かしのコード付けされた変形を新たな基準として使うという追加によって、その画像グループはさらに整理され、洗練されることができ、これは対応する画像面の記録をマッチング、グループ分け、仕分けおよび順序付けする改良された方法を与える。この技術が、コード付けされた変形をもつ認識されていない透かしにも適用できることを注意しておく。
【００４６】
図９を参照すると、ロール印画紙を個々のカット・プリントに変換するプロセスの図的な例示である。ここで、ハードコピー・メディア・ロール３４０はマウンティング芯３５０のまわりに巻き付けられている。ロール３４０からある長さのハードコピー・メディア３７０が引き出され、メディア・カッター３６０に搬送され、一様な大きさおよび形の個別のハードコピー・プリント３７５を形成する。
【００４７】
図１０ａは、識別されるグラフィックのメーカー透かし３２０を含む、メディア幅が「Ｘ」でカット長さが「Ｙ」で、認識されるフォーマットの送りが短いカット・プリント３８０を形成する、ハードコピー・メディア３７０のある長さ分の非画像面７０の図である。
【００４８】
図１０ｂは、識別されるグラフィックのメーカー透かし３２０を含む、メディア幅が「Ｙ」でカット長さが「Ｘ」で、認識されるフォーマットの送りが長いカット・プリント３９０を形成する、ハードコピー・メディア３７０のある長さ分の非画像面７０の図である。カット・プリント３８０および３９０は大きさと形が同一で、同じ透かしを有しているが、透かしの配向が異なっているので、プリントは異なるものとして認識できる。これは、ハードコピー画像メディアの元のロール幅およびカット・パターンを判別するために透かし配向がどのように使用できるかを示している。この方法はまた、プリント・プロセスの間の画像メディアの配位および配向を知ることによって、透かし配向が対応する画像配向を判別するためのベースライン基準としてもどのように使用できるかをも示している。これは、画像のグループに対しても適用されうる。単一のカメラからと想定されるそのグループについての画像の配向は、単一の画像よりも複数の画像に基づいてのほうが容易に判別されるのである。
【００４９】
図１１ａおよび１１ｂは、フォーマットと透かし配向の間の関係を示すさらなる例である。図１１ａは、識別されるグラフィックのメーカー透かし３１０を含む、メディア幅が「Ｘ」でカット長さが「Ｙ」の個別ハードコピー・メディア・プリント３８０の非画像面７０の図である。図１１ｂは、識別されるグラフィックのメーカー透かし３１０を含む、メディア幅が「Ｙ」でカット長さが「Ｘ」の個別ハードコピー・メディア・プリント３９０の非画像面７０の図である。図に隣接する矢印３８２、３９２は、DPE設備を通してのメディアの元の搬送方向を示す。プリント３８０と３９０の間で透かし配向が90°ずれており、透かしの元のロール・パターンが既知なのでメディアの元の配位が自動的に判別できることは明白である。
【００５０】
図１２ａおよび１２ｂは、フォーマット、透かし配向およびDPE業者が加えた印の配向の間の関係を示すさらなる例である。図１２ａは、識別されるグラフィックのメーカー透かし３１０を複数有する、メディア幅が「Ｘ」でカット長さが「Ｙ」の個別ハードコピー・プリント３８０の非画像面７０の図である。ここで、DPE業者によって加えられたデジタルプリントされた英数字１７０はプリントに対して垂直な配向にある。このDPE業者が加えた印１７０は、メディア搬送の方向にプリントする線形アレイ型プリンタでプリントされるので、プリント・プロセスの間のメディアの元の配向はすぐ判別される。図１２ｂは、識別されるグラフィックのメーカー透かし３１０を含む、メディア幅が「Ｙ」でカット長さが「Ｘ」の個別ハードコピー・メディア・プリント３９０の非画像面７０の図である。ここで、デジタルプリントされた英数字１７０がDPE業者によって加えられている。この場合、DPE業者が加えた印１７０は、水平な配向にある。図に隣接する矢印３８４、３９４は、元の搬送方向を示す。プリント３８０と３９０の間で透かし配向が90°ずれており、透かしの元のロール・パターンが既知なのでメディアの元の配位が自動的に判別でき、それは既知のグループ配向を確立するために使用できることは明白である。さらに、図１２ａおよび１２ｂに描かれたサンプルが透かしを有していなかった場合、DPE業者が加えた印１７０だけで、プリント・プロセスの間に確立された元のメディア配向を決定する十分な情報を提供する。さらに、透かしがなく、DPE業者が加えた印１７０があるだけである場合、その情報はグループ分けを決定するために使用できる。
【００５１】
図１３ａ、１３ｂ、１３ｃ、１３ｄは、透かしから導かれた基準が、ハードコピー・メディアの元のプリント序列を判別するためにどのように使用できるかの方法を記述するのに使われている。図１３ａは、識別されるグラフィックのメーカー透かし３２０を含む、ハードコピー・メディア３７０のある長さ分の非画像面７０の図である。プリントおよび仕上げプロセスの間、その長さのハードコピー・メディア３７０は、プリントされる序列で図１３ｂに示されるように個別画像プリント３８０にカットされる。図１３ｃに描かれている個別画像プリント３８０は、乱れており、順番になっていない４００。この条件は、通例、扱いならびに不十分な記憶手段および方法によって引き起こされる。図１３ｃが示すように、透かし３２０の諸セクションは視覚的に揃っていない。画像プリント３８０が元の序列にあれば、切断された透かし部分および透かしパターンは正しく組み立てたパズルのように見えるであろう。プリントのカット・パターンおよび個別プリントの透かし位置は、カットの周波数と透かしプリントの周波数が同じ位相でないことに起因する見かけ上ランダムな関係を有する。図１３ｄでは、ある長さのハードコピー４２０の非画像面が、元の配位に再集合させられているが、それは、カットされた透かしのセクションおよび個別プリントの透かしパターンを集合のガイドとして使うことによっている。透かし３２０を含む取得されたデジタル画像は、透かしパターンとカットされたセクションを同定するための画像パターン認識およびマッチング・アルゴリズム・プロセスによって処理される。隣り合う画像の間に無駄になったカット片のための余裕があってもよいことを注意しておく。このグループ分けおよび順序付けの基準は対応するデジタル画像プリントを整理するために使用され、画像から導かれるイベントおよび序列判別を含むこれまでに述べた任意の技術と協働的に使うことができる。さらに、この基準も、対応する画像面の記録をマッチング、グループ分け、仕分けおよび順序付けするために使用できる。
【００５２】
図１４を参照すると、ユーザーが加えた手書きの日付４６０、ユーザー名４５０および電話番号４７０をもつDPE注文封筒４３０が描かれている。封筒４３０は、ユーザーがフィルム種別指定４９０およびプリント・サイズ要求４８０のような要求されるサービスを指定するためにチェックボックスも設けている。DPE注文封筒４３０は、DPEラボ／小売者表示４４０およびDPE注文袋通し番号をも含む。DPE注文のような包装材料は通例、仕上げられたプリントと一緒にユーザーに戻される。ユーザーがDPE注文封筒４３０を保持していれば、これをスキャンおよびデジタイズして、写真処理封筒について得られた情報を、そこに含まれうるハードコピー・メディア画像に適用される追加的な仕分け基準として使うことができる。
【００５３】
図１５は、手書きの日付２８０およびイベント表示２８５のあるプリント戻し封筒５１０の図である。プリント戻し封筒５１０がユーザーによって保持されていれば、これをスキャンおよびデジタイズして、プリント戻し封筒について得られた情報を、そこに含まれうるハードコピー画像メディアに適用される追加的な仕分け基準として使うことができる。図１５および図１６に描かれた両例について、包装材料は、その包装材料に隣接するシーケンスにおいてスキャンされる画像のグループがその包装材料に含まれていたものであることを示す、スキャナのためのセパレータとして使うことができる。包装材料の形およびスタイルも仕分け基準として使ってもよい。封筒のスキャンは画像と一緒に保存されても、されなくてもよい。画像と一緒に保存される場合は、封筒はそのように指標付けされ、表示プログラムが封筒を表示しないようにされる。
【００５４】
図１６は、各面上に写真家のロゴ５４０を含むプロが撮影したポートレートを描いた、コピー制限ハードコピー・メディア５２０の画像面１６０および非画像面７０をもつハードコピー・メディア６０の図である。コピー制限能力を提供する機能は当技術分野においてよく知られており、均一間隔の点５３０の配列によって描かれている。これらの点は、人間の目では見るのが困難な黄色の色相であるが、この点の色およびパターンは、コピー制限保護ソフトウェアを具備するスキャン・システムによって容易に見分けられる。非画像面７０は認識されない透かし２９０を含んでおり、コピー制限メディアの概念はこの透かしに関連付けられている。この画像記録はコピー制限メディアの指示およびロゴを含んでいたので、システムはこの画像の複製コピーを作成することを拒否し、著作権法令を破らないようその画像をデジタル画像コレクションから除去する。代替的に、この点のパターンおよび／または検出されたロゴは仕分け基準として使用できる。
【００５５】
図１７は、DPE業者が加えたデジタル露光された処理日付５６０およびユーザーが加えた手書きのイベント表示２８５をもつ、ハードコピー・メディア・インデックス・プリント５５０の画像面１６０の図である。インデックスに含まれるものとしてはまた、機械および肉眼で可読の注文番号５７０および５７５ならびに個々の画像にフレーム番号５９０を付けたインデックス画像５８０のマトリクスもある。インデックス・プリント５５０は、ハードコピー画像コレクションと一緒にスキャンされ、デジタル画像比較技術によってそのインデックス・プリントに関連付けられた諸画像を同定するために使われる。スキャン・フレーム番号５９０が、対応するインデックス画像に一致するハードコピー画像プリント（図示せず）に割り当てられることができる。ユーザーが加えたイベント表示は、翻訳され、インデックス・プリント上に記録された画像に一致する画像のグループを指定するイベント基準として使われることができる。さらに、手書きテキストのイメージおよび／またはその解析された等価物が当該画像に対応して保存される。さらに、インデックス・プリント上の縮小画像に対応する全画像のファイル名を作成するために、解析されたテキストを使ってもよい。インデックス・プリント５５０上の画像５８０の序列は、フレーム番号表示５９０に相関させることができ、そのイベント・グループについてのその序列および期待される画像数が、インデックス・プリント５５０上に記録された画像に一致するハードコピー画像に適用されることができる。インデックス・プリントをスキャンして、そこに含まれている情報および画像を使用することは、対応したハードコピー・メディア画像面の記録をマッチング、グループ分け、仕分けおよび順序付けし、日付およびイベント表示を提供する改良された方法を提供する。
【００５６】
ここで図１８ａおよび１８ｂを参照して、本発明に基づくシステムの動作の記述についてこれから記述する。図１８ａは、ハードコピー画像のスキャンおよび仕分けのための動作のシーケンスを示す方法フローチャート６００の図的な描写であり、図１８ｂは、さまざまな動作を実装するためのシステムを示している。この動作手順は、「待っている間にできる」サービスとして実行されてもよいし、ユーザーがハードコピー・メディアをオペレーターにある期間、たとえば24時間預けることを必要としてもよい。ハードコピー・メディアは、DPE封筒に入れたプリント、靴箱に入れたプリント、アルバムに入れたプリント、フレームに入れたプリントといった入力態様の形のいずれかまたは全部を含んでいてもよい。ハードコピー・メディアは、メディアが受け取られた順番にスキャナ６０２によってスキャンされてもよいし、あるいはユーザーが供給または選択したテキストを付けたカードまたは元の包装材料といった物理的な「プリント・セパレータ」のためのオプションがスキャンされたハードコピー画像メディアと一緒に含められてもよい。「スキャン準備」ステップ６１０は、ハードコピー画像メディアを、遭遇されるいかなる序列をも維持したまま、その包装材料から取り出すことを含む。
【００５７】
メディア・グループ分け決定ステップ６２０では、画像プリントが別個の封筒に保存されているといった観察により、システムの自動仕分けルーチンが展開されるかどうか、認容可能な組織構造が遭遇されるかどうか、またはユーザーが既存の順序構造が維持されることを求めているかどうかが判別される。ステップ６３０は、既存のグループ構造が維持されるべきである場合に選択される。ハードコピー・メディアの表面および裏面がステップ６３５でスキャンされる。画像産物のインターフェースの組織化は、判別されたグループ構造に依存する。このグループ構造は、ステップ６４０で、組織化された画像産物のためのユーザー・インターフェースに組み込まれる。ユーザー選択された組織化された画像産物がステップ６５０で生成される。
【００５８】
メディア・グループ分け決定６２０において、維持されるべき顧客による既存のグループ分けがないと判別された場合、ハードコピー画像はスキャナ６０２によってスキャンされ、コンピュータ６０４によって自動的に整理される。まず、ハードコピー画像の表面および裏面がステップ６６０でスキャンされ、スキャンされたデータは処理のためにコンピュータ６０４に転送される。次いで各ハードコピー・メディアの表および裏をスキャンすることから得られた情報が、ステップ６７０でそれぞれの画像に関連付けられる。こうして、各ハードコピー・メディアについてデジタル画像ファイルが生成される。ここで、デジタル画像は、ハードコピー・メディアをスキャンすることから得られた他の任意の関係情報と関連付けられている。得られた関係データの例はすでに論じた。たとえば、これに限られないが、ハードコピー・メディアの形および大きさ、透かしデータ、DPE関係データ、DPE業者が加えるデータである。得られた関係データを使ってデジタル画像ファイルは、ステップ６８０で、コンピュータ６０２内の適切なソフトウェアによって大きさ／形のグループに分離される。大きさ／形検証ステップ６９０において、記録された画像サイズおよびフォーマットがやはりコンピュータ６０２内に保存されているLUTに保存されている大きさおよび形の情報と比較される。好ましい実施形態ではLUTはコンピュータ６０４に保存されているが、LUTは、コンピュータ６０２によってインターネットのような通信ネットワークを通じてアクセス可能な別のコンピュータまたはサーバー（図示せず）上に保存されていてもよい。認識されない大きさまたは形が記録されている場合、ステップ７００で、その大きさ／形LUTは、その大きさ／形を含めるようデジタル画像ファイルに付加される。次いでデジタル画像はさらにステップ７１０で、透かしスタイルの諸グループに分離される。スキャンされた透かしは、コンピュータ６０４上の適切なソフトウェアを使って、ステップ７２０で透かしスタイルLUTと比較される。透かしスタイル検証ステップ７３０は、透かしスタイルのすべてが透かしスタイルLUTによって認識されたかどうかを判別する。認識されない透かしが検出されていれば、その新たな透かしスタイルを含めるため、ステップ７６０で、その透かしスタイルLUTが現在のLUTに加えられる。何らかの時刻／日付指示が検出されれば、それが日付／時刻検証ステップ７７０であらゆる一致する透かしスタイルに関連付けられる。検出された日時からファイル名が生成されてもよいこと、また検出された書き込みが当該プリントの画像ファイルと一緒に指示または保存されてもよいことを注意しておく。透かしスタイルおよび日時表示は、ステップ７８０で既存のLUTに付加される。更新されたLUTを使って、記録されたハードコピー・メディア画像がステップ７４０で改めて整理される。画像比較および解析ステップ７５０では、非画像側の判別されたグループがさらに、ヒストグラム比較、肉眼検出、肉眼分離および顔検出のような画像から導かれた組織情報を使って、マッチング、グループ分け、仕分けおよび順序付けされる。このステップで、配向修正、品質最適化、鮮鋭化および画像エラー修正動作といった追加的な画像処理が実行される。組織構造に基づいて自動的に導かれたユーザー・インターフェースがステップ６４０で準備され、ユーザー選択された整理された画像産物がステップ６５０で適切な出力装置６０８によって生成される。ステップ６５０で出力装置６０８によって生成される産物は、以下の出力態様のいずれかまたは全部を含んでいてもよい：CD/DVDまたはメモリカード、インデックス・プリント・シート、インデックス・プリント・アルバム、カスタマイズされた写真アルバム、新たに得られた整理された序列およびグループ分けにおいてプリントされたプリントの重複セット、ウェブサイト・ベースの対話的な整理されたデジタル画像コレクション、対話的な整理されたデジタル画像コレクションへの内部的アクセスまたは無線によるアクセスを有する自己完結式の可搬型ピクチャー・ビューワー。ユーザーが画像の日付決定およびグループ分けならびに任意の関連するファイル名を承認できるユーザー検証ステップが追加されてもよいことを注意しておく（図示せず）。
【００５９】
見て取れるように、画像の仕分けおおよびグループ分けは得られたデジタル画像に関して追加的な情報を提供しうる。すなわち、日付情報が得られるばかりでなく、スキャン・プロセスからさまざまな他の種類の情報が得られることがありうる。たとえば、これに限られないが、デジタル画像に写っているのが誰か、デジタル画像が取り込まれた場所またはイベントに関係する情報である。この情報は、デジタル画像とともに維持され、システムのユーザーによって所望されるデジタル画像の追加的な仕分けおよびグループ分けを提供するために使用される。
【００６０】
図１９は、容器７９０に入れてランダムに保存されている未整理で雑多なハードコピー・プリント／メディア８００の図的な例示である。ハードコピー・メディア・コレクションは整理されたデジタル画像に変換され、閲覧可能なデジタル画像ディスプレイ８２０およびユーザー・インターフェース８３０を有する自己完結式の画像保存および閲覧装置８１０に保存される。整理され、閲覧装置８１０に保存されたハードコピー・メディア・コレクション８００では、適正に配向され、最適化された画像のいずれも、グループ、イベント、テーマまたはシーケンスによって閲覧できる。
【００６１】
図２０は、自己完結式画像保存および閲覧装置８１０の図的な例示であるが、該装置は、整理されたデジタル画像コレクションを含み、画像複製、プリント、保存、伝送および閲覧装置といった他の装置に整理されたコレクションを通信するためのインターフェースを有する。このインターフェースは、閲覧可能なデジタル画像８２０をもち、一致する複製プリント８８０を生成するイメージ・ドック（Image  Dock）型のピクチャー・プリンタ８４０と通信するための物理的または無線の接続を有していてもよい。装置８１０はまた、閲覧可能なデジタル画像を、画像処理キオスク８５０、パーソナル・コンピュータ８６０およびテレビ・モニタ８７０に設けられる画面８２０上に与えてもよい。
【図面の簡単な説明】
【００６２】
【図１】画像を帯びているハードコピー・メディアから得られた物理的特性を使ってハードコピー・メディア画像を整理するシステムを描く、従来技術基準の図である。
【図２】メーカーのメディア透かしを描くハードコピー・メディア画像の非画像面の図である。
【図３ａ】画像処理の日付を含む、インクで印された、DPEプロセスで加えられたスタンプを含むハードコピー・メディア画像の非画像側の図である。
【図３ｂ】画像処理の日付を含む、写真的に露光された、DPEプロセスで加えられたグラフィックを含むハードコピー・メディア画像の画像側の図である。
【図３ｃ】カメラが記録した画像取り込みの日時、フィルム・ロールID番号およびフィルム・ロール・フレーム番号を含む、デジタルプリントされた、DPEプロセスで加えられた印を含むハードコピー・メディア画像の非画像側の図である。
【図４ａ】画像取り込みの日時を描く、フィルム媒体に記録されたカメラ露光された印を含むハードコピー・メディア画像の画像側の図である。
【図４ｂ】ユーザー選択されたテキストおよび日付を含むDPE業者が加えた装飾的グラフィックを含む写真グリーティングカードの画像側の図である。
【図４ｃ】メーカー透かしとユーザーが加えた日付を含む手書きの印とを含むハードコピー・メディア画像の非画像側の図である。
【図５ａ】画像処理の日付および未識別のメーカー透かしを含む、写真露光されたDPEプロセスで加えられたグラフィックを含む、ハードコピー・メディア画像の画像および非画像面の図である。
【図５ｂ】日付、未識別のメーカー透かしおよび独特なメディア形状特徴を含む、ユーザーが加えた手書きの印を含む、ハードコピー・メディア画像の画像および非画像面の図である。
【図５ｃ】識別されるメーカー透かしおよび識別されたメディア形状特徴を含む、ハードコピー・メディア画像の画像および非画像面の図である。
【図６ａ】既知の製造時期「Ａ」をもつ識別されるメーカー透かしを含む、ハードコピー・メディア画像の非画像面の図である。
【図６ｂ】既知の製造時期「Ｂ」をもつ識別されるメーカー透かしを含む、ハードコピー・メディア画像の非画像面の図である。
【図６ｃ】既知の製造時期「Ｃ」をもつ識別されるメーカー透かしを含む、ハードコピー・メディア画像の非画像面の図である。
【図７ａ】未知の製造時期をもつ識別されない英数字のメーカー透かしを含む、ハードコピー・メディア画像の非画像面の図である。
【図７ｂ】既知の製造時期をもつ識別される英数字およびグラフィックのメーカー透かしを含む、ハードコピー・メディア画像の非画像面の図である。
【図７ｃ】既知の製造時期をもつ識別されるグラフィックのメーカー透かしを含む、ハードコピー・メディア画像の非画像面の図である。
【図８ａ】既知の製造時期をもつ識別されるグラフィックのメーカー透かしおよび透かし変形型「Ａ」を含む、ハードコピー・メディア画像の非画像面の図である。
【図８ｂ】既知の製造時期をもつ識別されるグラフィックのメーカー透かしおよび透かし変形型「Ｂ」を含む、ハードコピー・メディア画像の非画像面の図である。
【図８ｃ】既知の製造時期をもつ識別されるグラフィックのメーカー透かしおよび透かし変形型「Ｃ」を含む、ハードコピー・メディア画像の非画像面の図である。
【図９】ロール印画紙を個々のカット・プリントに変換するプロセスの図解である。
【図１０ａ】識別されるグラフィックのメーカー透かしを含む、幅「Ｘ」でカット位置の長さが「Ｙ」のハードコピー・メディアのある長さ分の非画像面の図である。
【図１０ｂ】識別されるグラフィックのメーカー透かしを含む、幅「Ｙ」でカット位置の長さが「Ｘ」のハードコピー・メディアのある長さ分の非画像面の図である。
【図１１ａ】識別されるグラフィックのメーカー透かしを含む、幅「Ｘ」でカット位置の長さが「Ｙ」の個別ハードコピー・メディア・プリントの非画像面の図である。
【図１１ｂ】識別されるグラフィックのメーカー透かしを含む、幅「Ｙ」でカット位置の長さが「Ｘ」の個別ハードコピー・メディア・プリントの非画像面の図である。
【図１２ａ】DPE業者によって加えられたデジタルプリントされた英数字を含む、識別されるグラフィックのメーカー透かしを含む、幅「Ｘ」でカット位置の長さが「Ｙ」の個別ハードコピー・メディア・プリントの非画像面の図である。
【図１２ｂ】DPE業者によって加えられたデジタルプリントされた英数字を含む、識別されるグラフィックのメーカー透かしを含む、幅「Ｙ」でカット位置の長さが「Ｘ」の個別ハードコピー・メディア・プリントの非画像面の図である。
【図１３ａ】識別されるグラフィックのメーカー透かしを含む、ハードコピー・メディアのある長さ分の非画像面の図である。
【図１３ｂ】識別されるグラフィックのメーカー透かしを含む、ハードコピー・メディアのある長さが個別プリントにカットされたものの非画像面の図である。
【図１３ｃ】識別されるグラフィックのメーカー透かしを含む、ハードコピー・メディアのある長さが個別プリントにカットされ、ランダムな順序に配列されたものの非画像面の図である。
【図１３ｄ】識別されるグラフィックのメーカー透かしを含む、ハードコピー・メディアのある長さが、個別プリントにカットされ、カットされた透かしのパターンを再集合させることにより元の序列に配列されたものの非画像面の図である。
【図１４】手書きの日付、ユーザー名および写真番号をもち、ユーザー選択されたフィルム種別表示およびDPEオプションをも含む、DPE注文封筒の図である。
【図１５】手書きの日付およびイベント表示をもつプリント戻し封筒の図である。
【図１６】両面に写真家のロゴを含むプロが撮影したポートレートを描いた、コピー制限ハードコピー・メディアの画像面および非画像面の図である。
【図１７】DPE業者が加えたデジタル露光された処理日付およびユーザーが加えた手書きのイベント表示をもつ、ハードコピー・メディア・インデックス・プリントの画像面の図である。
【図１８】ハードコピー画像整理のための動作のシーケンスを示すフローチャートである。
【図１９】未整理で雑多なハードコピー画像が整理されたデジタル画像に変換され、自己完結式の画像保存および閲覧装置に保存される図である。
【図２０】自己完結式の画像保存および閲覧装置が他の画像複製、プリント、保存、伝送および閲覧装置とのインターフェースをもつところの図である。
【符号の説明】
【００６３】
１０  デジタイズされたハードコピー・メディアの未整理のコレクション
２０  縁あり3.5″×3.5″プリントの第一の下位グループの画像
３０  角丸の縁なし3.5″×5″プリントの第二の下位グループの画像
４０  縁あり3.5″×5″プリントの第三の下位グループの画像
５０  縁なし4″×6″プリントの第四の下位グループの画像
６０  認識されるフォーマット（大きさ／形）のハードコピー・メディア
６５  「グリーティングカード」と認識されるハードコピー・メディア
７０  ハードコピー・メディアの非画像面
８０  メーカーが加えた認識される透かし
８５  メディア透かし
９０  コード付けされた、メーカーが加えた認識される透かし
１００  透かしエンコード・マーク（１型）
１０２  透かしエンコード・マーク（２型）
１０５  透かしエンコード・マーク（３型）
１１０  DPE業者が加えたインクのスタンプ
１２０  DPE業者が加えたインク・スタンプの日付／マーク
１３０  DPE業者が加えたインク・スタンプのロゴ
１４０  ハードコピー・メディアの画像面の縁
１５０  DPE業者が加えた、光学的に露光された処理日
１６０  ハードコピー画像
１６２  画像
１７０  DPE業者が加えたデジタル背面プリント（APSフォーマット）
１８０  カメラが記録した露光時刻
１９０  カメラが記録した露光日
２００  DPE業者が記録したフィルムID番号
２１０  DPE業者が記録したフィルム・フレーム番号
２１５  カメラ露光されたフィルムに記録された印
２２０  カメラ露光された露光時刻
２３０  カメラ露光された日付
２４０  DPE業者が加えたユーザー選択された季節のグラフィック
２５０  DPE業者が加えたユーザー選択されたテキスト・メッセージ
２６０  DPE業者が加えたユーザー選択された名前
２７０  DPE業者が加えたユーザー選択された日付
２８０  ユーザーが加えた手書きの日付
２８５  ユーザーが加えた手書きメッセージ
２９０  メーカーが加えた認識されない透かし
３００  認識されないフォーマット（大きさ／形）をもつハードコピー・メディア
３０２  画像領域
３０５  認識される形状特徴をもつハードコピー・メディア
３１０  メーカーが加えた認識される透かし（スポンサー型）
３２０  メーカーが加えた認識される透かし（広告型）
３３０  メーカーが加えた認識される透かし（ロゴ／グラフィック型）
３４０  透かしのあるハードコピー・メディアのロール
３５０  ロール・マウンティング芯
３６０  ハードコピー・メディア・カッター
３７０  ハードコピー・メディアのある長さ
３７５  個々のハードコピー・プリント
３８０  認識されるフォーマットをもち、送りが短いハードコピー・メディア画像
３８２  矢印
３８４  矢印
３９０  認識されるフォーマットをもち、送りが長いハードコピー・メディア画像
３９２  矢印
３９４  矢印
４００  一致する透かしスタイルをもつハードコピー・メディアのランダムなシーケンス
４１０  透かしセクションを揃えたハードコピー・メディアの再配列されたシーケンス
４２０  再生成された元来のプリント序列
４３０  DPE注文袋
４４０  DPE仕上げのラボ／小売業者の表示
４５０  ユーザーが加えた手書きの名前
４６０  ユーザーが加えた手書きの日付
４７０  ユーザーが加えた手書きの電話番号
４８０  ユーザーが加えた手書きの、プリントのサイズ／フォーマット指定
４９０  ユーザーが加えた手書きのフィルム種別指定
５００  DPE注文袋通し番号
５１０  プリント戻し封筒
５２０  コピー制限のあるプリント・メディア
５３０「黄色い点」のコピー制限指標
５４０  プロの写真スタジオのロゴ
５５０  ハードコピー・メディア・インデックス・プリント
５６０  DPE業者が加えた処理日
５７０  DPE業者が加えた機械可読注文番号
５７５  DPE業者が加えた肉眼で読める注文番号
５８０  インデックス画像
５９０  表示されたフレームまたは画像番号
６００  方法フローチャート
６０２  スキャナ
６０４  コンピュータ
６０８  出力装置
６１０  スキャン準備ステップ
６２０  メディア・グループ分け決定ステップ
６３０  既存のグループ構造を維持するステップ
６３５  ハードコピー・メディアの表面および裏面をスキャンするステップ
６４０  自動的に導かれたユーザー・インターフェースを準備するステップ
６５０  整理された画像産物を生成するステップ
６６０  ハードコピー・メディアの表面および裏面をスキャンするステップ
６６５  ハードコピー・メディアの表面および裏面をスキャンするステップ
６７０  表および裏の画像を関連付けるステップ
６８０  デジタル画像を大きさ／形のグループに分離するステップ
６９０  大きさ／形検証ステップ
７００  大きさ／形LUTにアペンドするステップ
７１０  デジタル画像を透かしスタイルのグループに分けるステップ
７２０  スキャンされた透かしを透かしスタイルLUTと比較するステップ
７３０  透かしスタイル検証ステップ
７４０  再整理ステップ
７５０  画像比較および解析ステップ
７６０  透かしスタイルLUTにアペンドするステップ
７７０  日時検証ステップ
７８０  透かしスタイル日付表示をアペンドするステップ
７９０  ハードコピー・メディア容器
８００  未整理のハードコピー・メディア・コレクション
８１０  自己完結式のデジタル・メディア保存および呈示装置
８２０  閲覧可能なデジタル画像
８３０  ユーザー・インターフェース
８４０  ドック型のピクチャー・プリンタ
８５０  画像処理キオスク
８６０  パーソナル・コンピュータ
８７０  テレビ・モニタ
８８０  複製ハードコピー・プリント
【図１】
2008538148.tif 000003
【図２】
2008538148.tif 000004
【図３ａ】
2008538148.tif 000005
【図３ｂ】
2008538148.tif 000006
【図３ｃ】
2008538148.tif 000007
【図４ａ】
2008538148.tif 000008
【図４ｂ】
2008538148.tif 000009
【図４ｃ】
2008538148.tif 000010
【図５ａ】
2008538148.tif 000011
【図５ｂ】
2008538148.tif 000012
【図５ｃ】
2008538148.tif 000013
【図６ａ】
2008538148.tif 000014
【図６ｂ】
2008538148.tif 000015
【図６ｃ】
2008538148.tif 000016
【図７ａ】
2008538148.tif 000017
【図７ｂ】
2008538148.tif 000018
【図７ｃ】
2008538148.tif 000019
【図８ａ】
2008538148.tif 000020
【図８ｂ】
2008538148.tif 000021
【図８ｃ】
2008538148.tif 000022
【図９】
2008538148.tif 000023
【図１０ａ】
2008538148.tif 000024
【図１０ｂ】
2008538148.tif 000025
【図１１ａ】
2008538148.tif 000026
【図１１ｂ】
2008538148.tif 000027
【図１２ａ】
2008538148.tif 000028
【図１２ｂ】
2008538148.tif 000029
【図１３ａ】
2008538148.tif 000030
【図１３ｂ】
2008538148.tif 000031
【図１３ｃ】
2008538148.tif 000032
【図１３ｄ】
2008538148.tif 000033
【図１４】
2008538148.tif 000034
【図１５】
2008538148.tif 000035
【図１６】
2008538148.tif 000036
【図１７】
2008538148.tif 000037
【図１８】
2008538148.tif 000038
【図１９】
2008538148.tif 000039
【図２０】
2008538148.tif 000040
【国際調査報告】
2008538148.tif 000041
2008538148.tif 000042